(57)【要約】【課題】  ＤＶＤやＢＤのような光ディスクと共に、そのディスクの特典物を同時に収納する光ディスクケースを提供すること。【解決手段】  本体１２の裏面には、ディスク２のスピンドル穴と嵌合されるセンターピース１４が、前記本体１２の長方形短辺の中心かつ、前期ディスク２が載置されるディスク固定部１５の縁部が前記本体１２の長方形短辺縁部まで接するように、前記本体１２の長方形長辺の中心から外れた位置にされる凸設されるように形成され、ディスク２の特典物３を固定する係止具１６ａ及び１６ｂ、もしくは、係止具１６ａ、１６ｂ及び１６ｃが、前記センターピース１４が前記本体１２の長方形長辺の中心から外れた位置にされる凸設されるように形成されたことによって生じた長方形スペースの前記センターピース１４側の長辺の左右二箇所、もしくは、左右中央三箇所に、前記センターピース１４の反対方向に開いたように形成される。【選択図】図１
0003174546.tif 000002
【実用新案登録請求の範囲】
【請求項１】
光ディスクを収納する商用サイズの長方形ケースであって、
光ディスクが収納される本体と、
該本体に被せる蓋体と、
該蓋体と前記本体とを開閉自在に連結するヒンジ部と、
からなり、
前記本体には、光ディスクのスピンドル穴と嵌合させるセンターピースが長方形ケース短辺の中心かつ長方形ケース長辺の中心から外れた位置に凸設されるとともに、前記センターピースが長方形ケース長辺の中心から外れた位置に凸設されたことによって生じた長方形スペースの前記センターピース側の長辺の左右二箇所に前記センターピースの反対方向に開いた係止具を設けたことにより、前記光ディスクと特典物とを同梱できる
ようにしたことを特徴とする光ディスクケース。
【請求項２】
前記センターピースが前記長方形ケース長辺の中心から外れた位置に凸設されたことによって生じた前記長方形スペースの前記センターピース側の長辺の左右及び中央三箇所に前記センターピースの反対方向に開いた係止具を設けたことを特徴とする請求項１記載の光ディスクケース。
【考案の詳細な説明】
【技術分野】
【０００１】  本考案は、ＣＤ（Ｃｏｍｐａｃｔ  Ｄｉｓｃ、以下、ＣＤと略記する）、ＤＶＤ（Ｄｉｇｉｔａｌ  Ｖｅｒｓａｔｉｌｅ  Ｄｉｓｃ、以下、ＤＶＤと略記する）及びＢＤ（Ｂｌｕ−ｒａｙ  Ｄｉｓｃ（登録商標）、以下、ＢＤと略記する）のような光ディスクを収納するもので、特に、光ディスクと共に、該光ディスクに添付された特典物をも収納することができるようにしたものに関する。
【背景技術】
【０００２】  ＣＤ、ＤＶＤ及びＢＤのような光ディスクの販売では、消費者の購買意欲を向上させるために、キーホルダー等の小物を特典物として、該光ディスクに添付して販売することがある。【０００３】  従来、前記特典物が、前記光ディスクが収納される光ディスクケースに前記光ディスクとともに同梱されることはない。現在、採用されている梱包形態は、前記光ディスクのみが収納されている前記光ディスクケースと、前記特典物のみを収容した箱、あるいは、緩衝材で梱包された前記特典物とを一緒に収納できる大きさの蓋が設けられていない三方背と呼ばれる箱を使用するものである。すなわち、前記光ディスクケースと、前記特典物とを収納するためだけの汎用性を持たない固有な箱を作成することとなる。さらには、前記三方背と呼ばれる箱の大きさは、通常の商用サイズとは異なるサイズとなり、新たな輸送用の箱も用意することとなる。このため、消費者の購買意欲を高めるための前記特典物を添付するためにコスト増が避けられなくなり前記光ディスクの価格を上げることになってしまう。【０００４】  また、前記光ディスクと前記特典物とが一緒に収納され販売されるのでなく、販売店において別々に管理される場合もある。この場合、前記光ディスクは光ディスクケースに収納されて、販売店の陳列棚に陳列される。他方前記特典物は、販売店のレジカウンター内で管理される。そして、前記光ディスクの購入を決めた消費者は、陳列棚から前記光ディスクケースをレジカウンターへ持っていき前記光ディスクの代金の支払い時に、前記特典物を店員から渡され、前記光ディスク購入者は、前記光ディスクを入手するとともに前記特典物をも入手できる。ところで、こうした前記光ディスクと前記特典物とを別々で管理する方法では、店員が前記光ディスク購入者に前記特典物を渡し忘れる問題がある。さらには、前記光ディスクの実販売数の予測が困難なために、前記特典物を前記光ディスクの実販売数より過剰または不足に用意したりするという問題もある。
【先行技術文献】
【特許文献】
【０００５】
【特許文献１】  登録実用新案第３１０４６５３号公報
【考案の概要】
【考案が解決しようとする課題】
【０００６】  本考案は上記従来の問題を解決するためになされたものであり、ＣＤ、ＤＶＤ及びＢＤのような光ディスクと共に、該光ディスクに添付される特典物を同時に収納する商用サイズの光ディスクケースを提供することを目的とする。なお、上記特許文献１には、ＤＶＤと共に、小物を入れることができる光ディスクケースが開示されているが、この光ディスクケースは、柔軟性部材を介して小物を収納できるようにした点で本考案とは異なり、さらには、本考案が商用での使用が前提であるのに対し上記特許文献１に開示されている光ディスクケースは私的な保存のためのものである点でも異なる。
【課題を解決するための手段】
【０００７】  上記目的を達成するために請求項１に記載の考案は、光ディスクを収納する商用サイズの長方形ケースであって、光ディスクが収納される本体と、該本体に被せる蓋体と、該蓋体と前記本体とを開閉自在に連結するヒンジ部と、からなり、前記本体には、光ディスクのスピンドル穴と嵌合させるセンターピースが長方形ケース短辺の中心かつ長方形ケース長辺の中心から外れた位置に凸設されるとともに、前記センターピースが長方形ケース長辺の中心から外れた位置に凸設されたことによって生じた長方形スペースの前記センターピース側の長辺の左右二箇所に前記センターピースの反対方向に開いた係止具を設けたことにより、前記光ディスクと前記光ディスク特典物とを同梱できるようにしたことを特徴とするものである。【０００８】  上記目的を達成するために請求項２に記載の考案は、光ディスクを収納する商用サイズの長方形ケースであって、光ディスクが収納される本体と、該本体に被せる蓋体と、該蓋体と前記本体とを開閉自在に連結するヒンジ部と、からなり、前記本体には、光ディスクのスピンドル穴と嵌合させるセンターピースが長方形ケース短辺の中心かつ長方形ケース長辺の中心から外れた位置に凸設されるとともに、前記センターピースが長方形ケース長辺の中心から外れた位置に凸設されたことによって生じた長方形スペースの前記センターピース側の長辺の左右中央三箇所に前記センターピースの反対方向に開いた係止具を設けたことにより、前記光ディスクと前記光ディスク特典物とを同梱できるようにしたことを特徴とするものである。
【考案の効果】
【０００９】  請求項１の考案によれば、ＣＤ、ＤＶＤ及びＢＤのような光ディスクと共に、該光ディスクに添付される特典物を同時に収納し販売することができるので、三方背と呼ばれる光ディスクケースと前記特典を収納する箱を製作することが無く、さらには、前記三方背の輸送用の箱も製作することが無いので、コスト削減ができ、前記光ディスクの価格も抑えられる。また、前記光ディスクと前記特典物とが一緒に収納され販売されるのでなく、販売店において別々に管理される場合においても、前記光ディスクと前記特典物店員が前記光ディスク購入者に前記特典物を渡し忘れる問題がなく、さらには、前記特典物を前記光ディスクの実販売数より過剰または不足に用意したりするという問題もなく極めて効率が良い。さらには、請求項１の考案が適用された光ディスクケースは、商用サイズであるために、輸送に際しては、従来商品の輸送用の箱が使用でき、販売店においても同じ陳列棚に従来商品と並べて陳列でき、極めて効率的である。【００１０】  請求項２の考案によれば、ＣＤ、ＤＶＤ及びＢＤのような光ディスクと共に、該光ディスクに添付される特典物を同時に収納し販売することができるので、三方背と呼ばれる光ディスクケースと前記特典を収納する箱を製作することが無く、さらには、前記三方背の輸送用の箱も製作することが無いので、コスト削減ができ、前記光ディスクの価格も抑えられる。また、前記光ディスクと前記特典物とが一緒に収納され販売されるのでなく、販売店において別々に管理される場合においても、前記光ディスクと前記特典物店員が前記光ディスク購入者に前記特典物を渡し忘れる問題がなく、さらには、前記特典物を前記光ディスクの実販売数より過剰または不足に用意したりするという問題もなく極めて効率が良い。さらには、請求項２の考案が適用された光ディスクケースは、商用サイズであるために、輸送に際しては、従来商品の輸送用の箱が使用でき、販売店においても同じ陳列棚に従来商品と並べて陳列でき、極めて効率的である。
【図面の簡単な説明】
【００１１】
【図１】本考案の実施形態の平面図である。
【考案を実施するための形態】
【００１２】  以下、本考案の実施の形態について図面を参照しながら説明する。図１は、本考案が適用された長方形光ディスクケースの全体を示す平面図である。本考案が適用された長方形光ディスクケースは、商品としてのＣＤ、ＤＶＤ及びＢＤ等の光ディスクと共に、該光ディスクに添付される特典物を一緒に収納することができるようにしたものである。
【００１３】  図１において、長方形光ディスクケース１は例えば樹脂により一体成形されており、該長方形光ディスクケース１は、蓋体１１と、本体１２と、該蓋体１１と該本体１２とを開閉自在に連結するヒンジ部１３からなる。前記本体１２には、光ディスク２が収納されると共に前記光ディスク２の特典物３が収納される。なお、長方形光ディスクケース１の大きさは、前記蓋体１１と前記本体１２とを閉じた状態で商用サイズの縦１９１ｍ、横１３５ｍｍに成形される。
【００１４】  蓋体１１の縁部１１ａには、ロック爪１７ａ及び１７ｂが形成される。本体１２の縁部１２ａには、係合部１８ａ及び１８ｂが形成される。前記蓋体１１及び前記本体１２を閉じると、前記ロック爪１７ａ及び１７ｂが前記係合部１８ａ及び１８ｂに係合され光ディスクケース１は閉状態で固定される。前記蓋体１１及び前記本体１２を強く開けば前記ロック爪１７ａ及び１７ｂが前記係合部１８ａ及び１８ｂから外れ、長方形光ディスクケース１を開くことができる。
【００１５】  ヒンジ部１３の裏面には、前記蓋体１１と前記本体１２とを閉じたときに、光ディスクを固定する光ディスク押さえ１９が形成される。本体１２の裏面には、光ディスク２のスピンドル穴と嵌合されるセンターピース１４が、前記本体１２の長方形短辺の中心かつ、前期光ディスク２が載置される光ディスク固定部１５の縁部が前記本体１２の長方形短辺縁部まで接するように、前記本体１２の長方形長辺の中心から外れた位置にされる凸設されるように形成される。光ディスク２は、前記蓋体１１と前記本体１２とを閉じた状態で、前記光ディスク押さえ１９、前記センターピース１４及び前記光ディスク固定部１５により固定される。
【００１６】  さらに、本体１２の裏面には、光ディスク２の特典物３を固定する係止具１６ａ及び１６ｂが、前記センターピース１４が前記本体１２の長方形長辺の中心から外れた位置にされる凸設されるように形成されたことによって生じた長方形スペースの前記センターピース１４側の長辺の左右二箇所に、もしくは、左右中央三箇所に、前記センターピース１４の反対方向に開いたように形成される。特典物３は、前記蓋体１１と本体１２とを閉じた状態で、前記係止具１６ａ及び１６ｂ、もしくは、前記係止具１６ａ、１６ｂ及び１６ｃにより固定される。
【００１７】  このように本考案が適用された長方形光ディスクケース１は、商品としてのＣＤ、ＤＶＤ及びＢＤ等の光ディスク２と共に、該光ディスク２の購入時の特典物３を一緒に収納することができる。
【００１８】  もちろん、本考案は、上記実施形態の構成に限られず、考案の要旨を変更しない範囲で種々の変形が可能である。
【符号の説明】
【００１９】１  長方形光ディスクケース
２  光ディスク
３  特典物
１１  蓋体
１１ａ  縁部
１２  本体
１２ａ  縁部
１３  ヒンジ部
１４  センターピース
１５  光ディスク固定部
１６ａ  係止具
１６ｂ  係止具
１６ｃ  係止具
１７ａ  ロック爪
１７ｂ  ロック爪
１８ａ  係合部
１８ｂ  係合部
１９  光ディスク押さえ
【図１】
0003174546.tif 000003